(57)【特許請求の範囲】
【請求項１】
遊技媒体を受けて遊技を可能とし、該遊技で入賞する毎に所定数の遊技媒体を排出する遊技台と、
複数の発光部を有し、前記遊技台の近傍に配置されたランプ型表示器と、
前記遊技台の遊技によって遊技者が獲得した遊技媒体数を検出する獲得媒体数検出手段と、
前記獲得媒体数検出手段によって検出される遊技媒体数が、予め設定された複数の媒体数範囲のうちいずれの範囲にあるかを判定する範囲判定手段と、
前記範囲判定手段の判定結果に基づいて遊技者が獲得した遊技媒体の数が前記媒体数範囲のどの範囲にあるかを判別できるように前記ランプ型表示器の複数の発光部を点滅駆動するランプ表示制御手段と、
を備え、
前記遊技台は、該遊技台に対する不正が発生したとき不正信号を出力するように形成され、
前記ランプ表示制御手段は、前記遊技台から不正信号が出力されたときには、前記遊技媒体の数の範囲が判別できる状態を維持したまま前記ランプ型表示器の複数の発光部の点滅の周期、位相、点灯時間、点灯順序のいずれか一つを変化させる、
ことを特徴とする遊技装置。
【請求項２】
遊技媒体を溜めておくための外部貯留部と、
前記外部貯留部内の遊技媒体を装置内に戻すための遊技媒体受入部と、
前記遊技媒体受入部から受け入れた遊技媒体数を検出する戻し媒体数検出手段と、
前記遊技台が排出した遊技媒体数を検出する排出媒体数検出手段と、
前記遊技台が回収した遊技媒体数を検出する回収媒体数検出手段と、
前記戻し媒体数検出手段によって検出された戻し媒体数を数値表示する戻し媒体数表示手段と
を有し、
前記獲得媒体数検出手段は、前記排出媒体数検出手段および回収媒体数検出手段の検出結果に基づいて、前記外部貯留部内の遊技媒体と装置内に戻された遊技媒体との和を遊技者の獲得媒体数として検出するように構成されていることを特徴とする請求項１記載の遊技装置。
【請求項３】
前記遊技台の近傍に配置された遊技媒体貸機と、
前記遊技媒体貸機から貸し出された遊技媒体数を検出する貸出媒体数検出手段と
を有し、
前記獲得媒体数検出手段は、前記貸出媒体数検出手段の検出結果を含めて遊技者の獲得媒体数を検出するように構成されていることを特徴とする請求項２記載の遊技装置。
【請求項４】
レシートを発行するためのプリンタと、
遊技中にレシートを発行させるための操作部と、
前記操作部が操作されたときに、前記戻し媒体数表示手段に表示されている媒体数の少なくとも一部を印字したレシートを前記プリンタから発行させる印字制御手段と、
前記印字制御手段によってレシートに印字された遊技媒体数分だけ前記戻し媒体数検出手段の検出結果を減算更新する戻し媒体数減算更新手段と
を有し、
前記獲得媒体数検出手段は、前記印字制御手段によってレシートに印字された遊技媒体数分だけ獲得媒体数を減算更新するように構成されていることを特徴とする請求項２または請求項３記載の遊技装置。
【発明の詳細な説明】
【０００１】
【発明の属する技術分野】
本発明は、遊技装置において、遊技者が獲得した遊技媒体数と遊技台の状態とを共通の表示器で判別できるようにするための技術に関する。
【０００２】
【従来の技術】
例えばパチンコ店では、多数のパチンコ台を一直線上に並べて配置していわゆるパチンコ島を形成し、各パチンコ台が回収したパチンコ玉を揚送装置によってパチンコ島の上部に設けられた貯留部へ揚送して貯留し、その貯留部からパチンコ島の各パチンコ台へパチンコ玉を分散補給するようにしていた。
【０００３】
ところが、近年パチンコ店はパチンコ店専用の建物で開業する他に、既成のビル内にテナントとして開業する場合が多く、このような場合、ホールが予めパチンコ島を効率よく配置できるように考えられていないので、無駄なスペースが生じてしまう。
【０００４】
このため、一台の遊技台だけで遊技媒体を循環させるように機構的に他の遊技装置と独立した単独機能型の遊技装置を、ホールの状況に応じて任意に配置することが提案されている。このような単独機能型のパチンコ遊技装置では、客が獲得したパチンコ玉を遊技装置内に戻すので、玉箱にあるパチンコ玉の数と実際に客が獲得したパチンコ玉の数とは一致しない。このため、この種のパチンコ遊技装置では、客が獲得したパチンコ玉の数を常時数値表示するための表示器が遊技台の近くに設けられている。この表示器として、近年では遊技台の他の情報（例えば大当たりの発生）や店からサービスされる各種情報を表示できる画像表示可能な液晶表示器が用いられている。
【０００５】
【発明が解決しようとする課題】
しかしながら、このように遊技者が獲得したパチンコ玉の数等を液晶表示器に表示しても、その遊技装置から少し離れている客にはその表示が判りずらく、大量のパチンコ玉を獲得していても他の客にアピールできないという問題がある。
【０００６】
また、遊技装置の遊技台には不正を検知するセンサが設けられており、そのセンサからの信号をホールの管理室等に送って管理室からホールの店員に不正の発生を知らせて対処しているが、この不正の発生を遊技装置の外部から判るようにすればより迅速な対応がとれる。しかしながら、不正の発生を知らせるための表示器を専用に設けたのでは、不正をはたらいた者に容易に悟られてしまう。
【０００７】
本発明は、このような問題を解決した遊技装置を提供することを目的としている。
【０００８】
【課題を解決するための手段】
前記目的を達成するために、本発明の請求項１の遊技装置は、遊技媒体を受けて遊技を可能とし、該遊技で入賞する毎に所定数の遊技媒体を排出する遊技台と、複数の発光部を有し、前記遊技台の近傍に配置されたランプ型表示器と、前記遊技台の遊技によって遊技者が獲得した遊技媒体数を検出する獲得媒体数検出手段と、前記獲得媒体数検出手段によって検出される遊技媒体数が、予め設定された複数の媒体数範囲のうちいずれの範囲にあるかを判定する範囲判定手段と、前記範囲判定手段の判定結果に基づいて遊技者が獲得した遊技媒体の数が前記媒体数範囲のどの範囲にあるかを判別できるように前記ランプ型表示器の複数の発光部を点滅駆動するランプ表示制御手段と、を備え、前記遊技台は、該遊技台に対する不正が発生したとき不正信号を出力するように形成され、前記ランプ表示制御手段は、前記遊技台から不正信号が出力されたときには、前記遊技媒体の数の範囲が判別できる状態を維持したまま前記ランプ型表示器の複数の発光部の点滅の周期、位相、点灯時間、点灯順序のいずれか一つを変化させる、ことを特徴とする。
【０００９】
このため、遊技中に獲得した遊技媒体の数の範囲がランプ型表示器の発光部の点灯駆動によって離れた位置からでも判る。
【００１２】
また、好適な態様では、遊技媒体を溜めておくための外部貯留部と、前記外部貯留部内の遊技媒体を装置内に戻すための遊技媒体受入部と、前記遊技媒体受入部から受け入れた遊技媒体数を検出する戻し媒体数検出手段と、前記遊技台が排出した遊技媒体数を検出する排出媒体数検出手段と、前記遊技台が回収した遊技媒体数を検出する回収媒体数検出手段と、前記戻し媒体数検出手段によって検出された戻し媒体数を数値表示する戻し媒体数表示手段とを有し、前記獲得媒体数検出手段は、前記排出媒体数検出手段および回収媒体数検出手段の検出結果に基づいて、前記外部貯留部内の遊技媒体と装置内に戻された戻し媒体との和を遊技者の獲得媒体数として検出するように構成されている。
【００１３】
このため、遊技媒体受入部から受け入れられた遊技媒体数と外部貯留部内にある遊技媒体の合計がどの範囲にあるかが前記ランプ型表示器の発光部の点灯状態によって遠くからでも判別できる。
【００１４】
また、他の好適な態様では、前記遊技台の近傍に配置された遊技媒体貸機と、前記遊技媒体貸機から貸し出された遊技媒体数を検出する貸出媒体数検出手段とを有し、前記獲得媒体数検出手段は、前記貸出媒体数検出手段の検出結果を含めて遊技者の獲得媒体数を検出するように構成されている。
【００１５】
このため、遊技媒体受入部から受け入れられた遊技媒体数と外部貯留部内にある遊技媒体の合計が貸出媒体数を含めてより正確に検出され、その合計がどの範囲にあるかが前記ランプ型表示器の発光部の点灯状態によって遠くからでも判別できる。
【００１６】
また、他の好適な態様では、レシートを発行するためのプリンタと、レシート発行操作部と、前記レシート発行操作部が操作されたときに、前記戻し媒体数表示手段に表示されている媒体数の少なくとも一部を印字したレシートを前記プリンタから発行させるレシート発行制御手段と、前記レシート発行制御手段によってレシートに印字された遊技媒体数分だけ前記戻し媒体数検出手段の検出結果を減算更新する戻し媒体数減算更新手段とを有し、前記獲得媒体数検出手段は、前記レシート発行制御手段によってレシートに印字された遊技媒体数分だけ獲得媒体数を減算更新するように構成されている。
【００１７】
このため、遊技媒体受入部から受け入れた遊技媒体の数からレシートに印字して発行された遊技媒体数を減じた数の遊技媒体と、外部貯留部内にある遊技媒体との合計がどの範囲にあるかが前記ランプ型表示器の発光部の点灯状態によって判別できる。
【００１８】
【発明の実施の形態】
以下、図面に基づいて本発明の一実施形態を説明する。図１は本発明を適用した一実施形態の単独機能型のパチンコ遊技装置１０の外観図、図２は、パチンコ遊技装置１０の構成を示す図である。
【００１９】
図１において、このパチンコ遊技装置１０の上部には、各種情報を画像表示するための液晶表示器１１と、客が獲得した玉数をレシートに印字して発行するプリンタ１２と、操作部１３と、横一列に並んだ５つの発光部１４ａ〜１４ｅからなるランプ型表示器１４とが設けられている。
【００２０】
操作部１３は、獲得玉の端数を含めてレシート発行するか端数を除いてレシート発行するかを選択し、液晶表示器１１に表示する内容を切り換え、遊技者が遊技装置に戻した獲得玉のなかから遊技玉を補充するためのものであり、その補充操作を１回行う毎に例えば１００個のパチンコ玉が後述する玉箱１７内に補充される。
【００２１】
ランプ型表示器１４の各発光部１４ａ〜１４ｅは、例えばフィラメント型の電球や高輝度発光ダイオード等で構成され、各発光部の表面に例えば玉箱の絵等が表示されている。
【００２２】
液晶表示器１１の下方には、玉貸機１５とパチンコ台１６が配置されている。玉貸機１５は、硬貨投入口１５ａから投入された金額に応じた数のパチンコ玉を貸し出す。
【００２３】
パチンコ台１６は、レバー１６ａが回転操作されると上皿１６ｂ内のパチンコ玉を打ち込み、そのパチンコ玉が入賞すると上皿１６ｂまたは下皿１６ｃに所定数の賞玉を排出し、入賞玉および外れ玉を回収する。
【００２４】
パチンコ台１６の下には、パチンコ台１６から排出されたパチンコ玉等をためておくための玉箱１７が配置されている。この玉箱１７は、パチンコ台１６の上下の皿１６ｂ、１６ｃとともにこの実施形態の外部貯留部を形成するものであり、操作レバー１７ａを操作するとゲート１７ｂ（図２参照）が開いて、玉箱１７内に貯留していたパチンコ玉を、後述する戻し玉計数機２３を介して装置内部へ戻せるようになっている。
【００２５】
一方、図２に示すように、装置内上部には、パチンコ玉を貯留するための上部タンク１８が設けられている。この上部タンク１８には、内部に貯留しているパチンコ玉の量が、上限レベルに達したことを検出するための上限センサ１９と下限レベルに達したことを検出するための下限センサ１９とが設けられている。上限センサ１９および下限センサ２０の出力は、後述する制御装置３５へ出力される。
【００２６】
上部タンク１８は、その下方に配置されている玉貸機１５、パチンコ台１６および余り玉排出装置２２にパチンコ玉を供給する。
【００２７】
パチンコ台１６が賞玉として排出するパチンコ玉は、上部タンク１８から補給玉計数機２１を介して供給される。
【００２８】
補給玉計数機２１は、後述する制御装置３５とともにこの実施形態の排出媒体数検出手段を構成するものであり、例えば、玉パチンコ台１６に補給されるパチンコ玉１０個当り１つのパルス信号を制御装置３５へ出力する。
【００２９】
余り玉排出装置２２は、プリンタ１２からレシートが発行される時に、制御装置３５からの信号によって獲得玉の端数を玉箱１７に排出する。また、この余り玉排出装置２２は、操作部１３で遊技玉の補充のための操作がなされたとき、制御装置３５からの信号によって例えば１００個のパチンコ玉を玉箱１７に補充する。
【００３０】
玉箱１７から装置内へ戻されるパチンコ玉は、戻し玉計数機２３を介して装置内下部に配置された下部タンク２４内へ落下収容される。
【００３１】
戻し玉計数機２３は、この実施形態の遊技媒体受入部を形成し、また、制御装置３５とともに戻し媒体数検出手段を形成するものであり、玉箱１７から下部タンク２４内へ戻されるパチンコ玉一個当り１つのパルスを制御装置３５へ出力する。
【００３２】
下部タンク２４には、タンク内に貯留されているパチンコ玉の量を４段階に検出して制御装置３５へ出力するために、４つのセンサ２５、２６、２７、２８が異なる高さに設けられている。ここで、センサ２５は、パチンコ玉の量が上限レベルＬ１に達したことを検出する上限センサ、センサ２６は、パチンコ玉の量が上限に近いレベルＬ２に達したことを検出する上限警告センサ、センサ２７は、パチンコ玉の量が下限に近いレベルＬ３に達したことを検出する下限警告センサ、センサ２８は、パチンコ玉の量が下限レベルＬ４に達したことを検出する下限センサである。
【００３３】
また、パチンコ台１６で回収されたパチンコ玉（打ち込まれた玉）は、回収玉計数機２９を介して下部タンク２４内へ落下収容される。回収玉計数機２９は、制御装置３５とともにこの実施形態の回収媒体数検出手段を形成するものであり、例えば、パチンコ台１６が回収したパチンコ玉１０個当り１つのパルスを制御装置３５へ出力する。
【００３４】
下部タンク２４に貯留されたパチンコ玉は、揚送装置３０によって上部タンク１８へ揚送される。この揚送装置３０は、上部タンク１８内のパチンコ玉が下限センサ２０のレベルに達すると、そのパチンコ玉が上限センサ１９のレベルに達するまで駆動される。
【００３５】
通信装置３１は、この遊技装置１０の管理情報（例えば不正の発生、パチンコ玉の不足や過剰等）をホールの集中管理装置（図示せず）へ送信するためのものであり、有線式あるいは無線式のいずれであってもよい。
【００３６】
制御装置３５は、前記各センサ、各計数機からのパルス信号および操作部１３の操作に応じて、液晶表示１１に表示する情報の出力、ランプ型表示器１４の点灯駆動、プリンタ１２への印字情報の出力、余り玉排出装置２２および揚送装置３０の制御を行う。
【００３７】
次に、制御装置３５の構成を図３に基づいて説明する。
図３において、揚送制御手段３６は、上部タンク１８のパチンコ玉のレベルが下限に達したことを下限センサ２０の出力によって検知して揚送装置３０を駆動し、パチンコ玉のレベルが上限に達したことを上限センサ１９の出力によって検知して揚送装置３０の駆動を停止する。この制御によって、上部タンク１８のパチンコ玉は上限レベルから下限レベルの間に保たれる。なお、この遊技装置に対する他の遊技装置からのパチンコ玉の持込みや他の遊技装置への持ち出しがなければ、上部タンク１８のパチンコ玉が上限レベルと下限レベルの間にあるとき、下部タンク２４内のパチンコ玉のレベルは、玉箱１７内のパチンコ玉の量に関わらず上限警告レベルＬ２と下限警告レベルＬ３の間となるように予め装置内の玉の量が設定されている。そして、下部タンク２４のパチンコ玉が上限警告レベルＬ２より高くなったり、下限警告レベルＬ３より低くなった場合には、揚送制御手段３６が、これを管理情報として通信装置３１を介してホールの集中管理装置へ通知する。
【００３８】
補給玉計数機２１、回収玉計数機２９および戻し玉計数機２３から出力されるパルスは積算手段３７、３８、３９でそれぞれ積算され、演算手段４０に入力される。なお、積算手段３７は、前記補給玉計数機２１および演算手段４０とともにこの実施形態の排出媒体数検出手段を構成するものであり、積算手段３８は、前記回収玉計数機２９および演算手段４０とともにこの実施形態の回収媒体数検出手段を構成するものであり、さらに積算手段３８は、前記戻し玉計数機２３とともにこの実施形態の排出媒体数検出手段を構成するものである。
【００３９】
演算手段４０は、前記排出媒体数検出手段および回収媒体数検出手段の一部を形成し、さらにこの実施形態の獲得媒体数検出手段を構成するものであり、積算手段３７、３８の出力値をそれぞれ１０倍して補給玉数Ａと回収玉数Ｂとを求め、その差を遊技者が獲得した獲得玉数Ｃとして求める。また、積算手段３９の出力値、即ち戻し玉数Ｄを、特定の景品１個当り必要な玉数で除算し、その商を景品数Ｅ、余りを余り玉数Ｆとして求める。
【００４０】
印字制御手段４１は、操作部１３によって端数込みのレシート発行が選択されると、演算手段４０の演算結果のうち、戻し玉数、景品数および余り玉数を印字したレシートを発行し、端数を含まないレシート発行が選択されると、戻し玉数、景品数を印字したレシートを発行する。なお、印字制御手段４１は、レシートの発行が終了すると各積算手段３７〜３９の計数値を零にリセットして、次の遊技に備える。
【００４１】
余り玉排出制御手段４２は、操作部１３によって端数を含まないレシート発行が選択されると、演算手段４０によって算出された余り玉数を余り玉排出装置２２から玉箱１７内へ排出させる。また、操作部１３によって遊技玉を補充させるための操作がなされる毎に戻し玉数Ｄの範囲内で１００個ずつパチンコ玉を玉箱１７に排出し、排出した玉数分だけ演算手段４０の戻し玉数Ｄを減算させる。
【００４２】
液晶表示制御手段４３は、液晶表示器１１１とともにこの実施形態の戻し媒体数表示手段を形成するものであり、戻し玉計数機２３の計数動作や、操作部１３の操作あるいは遊技台１６からの信号に応じて、液晶表示器１１の表示制御を行う。
【００４３】
例えば、遊技初期時には図４に示すような基本画面を液晶表示器１１に表示して、その「打ち玉」の欄に演算手段４０から出力される回収玉数Ｂを表示し、「出玉」の欄に補給玉数Ａを表示し、「差し引き」の欄に客の獲得玉数Ｃを表示する。また、遊技者が玉箱１７に溜まったパチンコ玉を戻し玉計数機２３を介して装置内に戻すと、図５に示すような計数画面を液晶表示器１１に表示し、その「計数玉総数」の欄に演算手段４０から出力される戻し玉数Ｄを表示し、「景品数」の欄に景品数Ｅを表示し、「余り玉数」の欄に余り玉数Ｆを表示する。
【００４４】
また、例えば計数画面を表示しているときにパチンコ台１６から大当たり信号が出力されると、図６のように「大当たり」の文字を一定時間表示する。また、パチンコ台１６から大当たりの確率が高くなったことを示す確率変動信号が出力されると、例えば図７の（ａ）〜（ｃ）のように、「確変」の文字が上下方向（左右方向、斜め方向あるいは円周方向でもよい）に流れるような確変画面を計数画面に重ねて表示して、遊技者に大当たりの発生が近いことを強調して知らせ、遊技者が見過ごさないようにする。
【００４５】
玉数範囲判定手段４４は、遊技中に演算手段４０によって算出される獲得玉数Ｃが、予め設定された複数の玉数範囲のどの範囲に入るかを判定する。例えば、４０００個未満の範囲を第１の範囲、４０００個以上８０００個未満を第２の範囲、８０００個以上１２０００個未満を第３の範囲、１２０００個以上１６０００個未満を第４の範囲、１６０００個以上２００００個未満を第５の範囲、２００００個以上を第６の範囲とし、獲得玉数Ｃが第１〜第６の範囲のいずれにあるかを判定する。
【００４６】
ランプ表示制御手段４５は、玉数範囲判定手段４４の判定結果およびパチンコ台１６から出力される各信号に基づいて、ランプ型表示器１４の発光部１４ａ〜１４ｅの点灯状態を変化させる。即ち、パチンコ台１６から大当たり信号が出力されていないときには玉数範囲判定手段４４の判定結果に基づいて遊技者が獲得したパチンコ玉の数が玉数範囲のどの範囲にあるかを判別できる表示パターンでランプ型表示器１４を点灯駆動し、パチンコ台１６から大当たり信号が出力されたときには、玉数範囲判定手段４４の判定結果に関わらず大当たりの発生を判別できる表示パターンでランプ型表示器１４を点灯駆動し、パチンコ台１６から不正信号が出力されたときには、遊技者が獲得したパチンコ玉の範囲または大当たりの発生が判別できる状態を維持したまま、ランプ型表示器１４の表示パターンを変化させる。
【００４７】
例えば、大当たり信号が出力されていないとき、獲得玉の数がＮ番目（例えば４番目）の範囲に含まれていると、図８の（ａ）〜（ｅ）のように左からＮ−１番目（３番目）までの発光部１４ａ〜１４ｃを２秒点灯１秒消灯の周期で点滅駆動し、他の発光部１４ｄ、１４ｅは消灯状態にしておく。
【００４８】
また、獲得玉の数が図８の状態と同じときに不正信号が出力されると、図９の（ａ）〜（ｅ）のように、Ｎ−１番目までの発光部１４ａ〜１４ｃを１秒点灯１秒消灯の周期で点滅駆動する。
【００４９】
また、不正信号が出力されていない状態で大当たり信号が出力されたときには、図１０の（ａ）〜（ｅ）に示すように、左端の発光部１４ａから右端の発光部１４ｅまで順番にシフトしながら点灯し、不正信号が出力された場合には、図１１の（ａ）〜（ｅ）に示すように、右端の発光部１４ｅから左端の発光部１４ａまで順番にシフトしながら点灯する。
【００５０】
このように、パチンコ台１６から不正信号が出力されていないときと、不正信号が出力されたときとでは、発光部の点灯時間が多少長くなったり、点灯する発光部のシフト方向が逆になっているだけなので、遊技者に大きな違和感を感じさせずに済む。これに対して店員が予めこの点灯時間の差や発光のシフト方向を意識していることによって、遊技者が不正を行っているか否かを容易に判断することができ、適切に対処できる。
【００５１】
なお、通信手段４６は、揚送制御手段３６によって下部タンク２４内のパチンコ玉の不足や過剰が発生したとき、およびパチンコ台１６から不正信号が出力されたとき、これをホールの集中管理装置へ通知する。
【００５２】
また、遊技者が遊技中に操作部１３によって補充操作を行った場合には、戻し玉数Ｄが１００ずつ減少するが、獲得玉数Ｃは変化しないので、ランプ型表示器１４の点灯状態は変わらない。
【００５３】
以上のように、この実施形態のパチンコ遊技装置では、１組のランプ型表示器で、客が獲得した玉の範囲を離れた位置からでも判るように表示して、他の客にアピールすることができ、また、大当たりの発生を強調して表示でき、しかも、不正が発生を検知したことを不正をはたらいている遊技者には悟られずに店員に明確に判るように表示できる。
【００５４】
【他の実施形態】
前記実施形態では、補給玉数から回収玉数を減算し、その減算結果を遊技者の獲得玉数として検出していたが、玉貸機１５から貸し出したパチンコ玉の数を獲得玉数に加えるようにしてもよい。
【００５５】
この場合には、図１２に示す制御装置５５のように、玉貸機１５から出力されるパルスの数を積算する積算手段５６（後述の演算手段５７とともに貸出媒体数検出手段を構成する）を設け、積算手段３７〜３９、５６の出力を演算手段５７に出力する。なお、玉貸機１５は、１００円当り２５個のパチンコ玉を貸し出して１つのパルス信号を出力するものとする。
【００５６】
演算手段５７は、前記演算手段４０と同様に積算手段３７、３８の各出力をそれぞれ１０倍して補給玉数Ａ、回収玉数Ｂを求め、積算手段５６の出力を２５倍して貸玉数Ｌを求め、遊技者の獲得玉数Ｔを以下の演算によって求める。
Ｔ＝Ａ＋Ｌ−Ｂ
そして、この演算結果Ｔを玉数範囲判定手段４４へ出力して、その演算結果が含まれる範囲までの発光部を点灯させる。
【００５７】
このように玉貸機１５から貸し出されたパチンコ玉の数を含めて獲得玉とすることにより、大量のパチンコ玉が貸し出された場合でも、戻し玉および遊技台１６の皿や玉箱１７内のパチンコ玉の総和の範囲をより正確に点灯表示することができる。
【００５８】
また、他の遊技装置からの大量のパチンコ玉の持込みや持ち出しがあると、ランプ型表示器１４に表示される玉数の範囲に対して、液晶表示器１１に表示されている玉数と玉箱１７内の玉数との合計量が一致しなくなり、その不一致は外部から容易に発見できる。したがって、遊技者による大量のパチンコ玉の持込みや持ち出しに対して注意することができ、パチンコ玉の持込みや持ち出しを抑制する効果がある。
【００５９】
なお、他の遊技装置からの玉の持込みや持ち出しがなければ、遊技中の戻し玉数Ｄは獲得玉数Ｔ以下になる。したがって、遊技中に獲得玉数Ｔと戻し玉数Ｄとを常時比較し、戻し玉数Ｄが獲得玉数Ｔより所定値以上大きくなったときに、ランプ型表示器１４の点灯状態を遊技者に悟られないように変化させることによって、その遊技者の玉の持込みを店員がすぐに判るようにすることもできる。また、遊技終了時に玉箱１７内のパチンコ玉を全て装置内に戻せば、戻し玉数Ｄと獲得玉数Ｔとはほぼ等しくなるはずであるから、この時点で戻し玉数Ｄが獲得玉数Ｔより大幅に少ないときに、ランプ型表示器１４の点灯状態を遊技者に悟られないように変化させることによって、その遊技者の玉の持ち出しを店員がすぐに判るようにすることもできる。
【００６０】
また、前記実施形態では、遊技終了時にレシートを発行する場合について説明したが、獲得しているパチンコ玉の一部を遊技中にレシートに印字して発行できるようにしてもよい。この場合には、図１３に示す制御装置５５′のように、任意の玉数を入力できる操作部６０を別に設けて、その操作部６０から入力された玉数が現在の戻し玉数以下であることを判定手段６１で判定し、操作部６０から入力された数が現在の戻し玉数以下と判定されたとき、印字制御手段６２はその入力値が印字されたレシートをプリンタ１２から発行させ、獲得媒体数検出手段としての演算手段６７は、液晶表示器１１に表示させる戻し玉数と玉数範囲判定手段４４に出力する獲得玉数を、ともに入力値分だけ減算更新する（戻し媒体数減算更新手段）。
【００６１】
また、前記実施形態では、遊技終了時にレシートを発行したときに、各積算手段３７〜３９をリセットして次の遊技に備えるようにしていたが、例えば開店時から閉店時までは積算手段３７〜３９（積算手段５６を含めてもよい）をリセットせずにその一日の営業成績として記憶させておき、閉店後にその積算結果を通信装置４６を介してホールの集中管理装置へ送ったり、あるいは、プリンタ１２に印字して発行してもよい。
【００６２】
この場合には、各遊技者の遊技終了時に演算手段４０（５７、６７）内でその遊技者の遊技による補給玉数、回収玉数、戻し玉数および貸玉数をリセットし、次の遊技者の遊技の開始時には、各積算手段の積算結果を基準として補給玉数、回収玉数、戻し玉数および貸玉数を検出するようにすればよい。
【００６３】
前記実施形態では、玉数の範囲を６つに分けていたが、これは、本発明を限定するものでなく、その遊技台に合わせて決定すればよく、また、例えば前記実施形態の各発光部に相当する位置に、それぞれ複数個ずつ発光部を設け、玉数の範囲をより細分化して、これらの発光部を点灯駆動するようにしてもよい。また、発光部の配列についても前記実施形態のような横一列に限らず、縦や斜めあるいは環状に配列してもよい。
【００６４】
また、ランプ型表示器の発光部の表示パターンについても前記実施形態に限らず、種々の表示パターンが採用できる。例えば、獲得媒体数の範囲までの発光部は常時点灯状態とし、残りの発光部を不正信号がないときには交互点滅とし、不正信号があるときには同時点滅にしたり、不正信号がないときに大当たりしたときには、全発光部を所定の周期で同時点滅し、不正信号があるときにはその周期を変化させるようにしてもよい。
【００６５】
また、前記実施形態は、液晶表示器に各種情報を表示するパチンコ遊技装置に本発明を適用していたが、専用の数字表示器で獲得玉の数を数値表示するパチンコ遊技装置にも本発明を同様に適用でき、また、単独機能型のパチンコ遊技装置だけでなく、複数の遊技台に共通の補給装置からパチンコ玉を分散供給するような従来の遊技装置や、メダルを遊技媒体とする遊技装置等にも適用できる。
【００６６】
【発明の効果】
以上説明したように、本発明の請求項１記載の遊技装置は、複数の発光部を有するランプ型表示器を遊技台の近傍に配置するとともに、遊技台の遊技によって遊技者が獲得した遊技媒体数を検出する獲得媒体数検出手段と、獲得媒体数検出手段によって検出される遊技媒体数が複数の媒体数範囲のうちいずれの範囲にあるかを判定する範囲判定手段とを設け、範囲判定手段の判定結果に基づいて遊技者が獲得した遊技媒体の数がどの範囲にあるかを判別できるようにランプ型表示器の発光部を点灯駆動している。
【００６７】
このため、客が獲得した遊技媒体の範囲を離れた位置からでも明確に判り、他の客にアピールすることができる。
【００６８】
また、請求項２記載の遊技装置は、遊技台から不正信号が出力されたときに、遊技媒体の数の範囲が判別できる状態を維持したままランプ型表示器の発光部の点灯状態を変化させるようにしたので、不正の発生を不正をはたらいている遊技者には悟られずに店員に明確に判るように表示できる。
【００６９】
また、請求項３記載の遊技装置は、外部貯留部から遊技媒体受入部を介して装置内に戻された遊技媒体数を表示し、排出媒体数および回収媒体数に基づいて、外部貯留部内の遊技媒体と装置内に戻された戻し媒体との和を遊技者の獲得媒体数として検出するように構成されているので、遊技媒体受入部から受け入れられた遊技媒体数と外部貯留部内にある遊技媒体の合計がどの範囲にあるかがランプ型表示器の発光部の点灯状態によって遠くからでも判別できる。
【００７０】
また、請求項４記載の遊技装置は、遊技媒体貸出機から貸し出された貸出媒体数を含めて遊技者の獲得媒体数を検出するように構成されているので、遊技媒体受入部から受け入れられた遊技媒体数と外部貯留部内にある遊技媒体の合計がより正確に検出され、その合計がどの範囲にあるかがランプ型表示器の発光部の点灯状態によって遠くからでも判別できる。
【００７１】
また、請求項５記載の遊技装置は、レシート発行操作部が操作されたときに、戻し媒体数表示手段に表示されている媒体数の少なくとも一部を印字したレシートを発行し、そのレシートに印字された遊技媒体数分だけ戻し媒体数検出手段の検出結果を減算更新するとともに、レシートに印字された遊技媒体数分だけ獲得媒体数を減算更新するように構成されているため、遊技媒体受入部から受け入れた遊技媒体の数から遊技中にレシートに印字して発行された遊技媒体数を減じた数の遊技媒体と、外部貯留部内にある遊技媒体との合計がどの範囲にあるかがランプ型表示器の発光部の点灯状態によって判別できる。
【図面の簡単な説明】
【図１】本発明を適用した一実施形態のパチンコ遊技装置の斜視図
【図２】一実施形態の全体構成図
【図３】一実施形態の要部のブロック図
【図４】一実施形態の液晶表示画面の一例を示す図
【図５】一実施形態の液晶表示画面の一例を示す図
【図６】一実施形態の液晶表示画面の一例を示す図
【図７】一実施形態の表示画面の一例を示す図
【図８】一実施形態のランプ型表示器の表示パターンの一例を示す図
【図９】一実施形態のランプ型表示器の表示パターンの一例を示す図
【図１０】一実施形態のランプ型表示器の表示パターンの一例を示す図
【図１１】一実施形態のランプ型表示器の表示パターンの一例を示す図
【図１２】本発明の他の実施形態の制御装置の構成を示すブロック図
【図１３】本発明の他の実施形態の制御装置の構成を示すブロック図
【符号の説明】
１０  パチンコ遊技装置
１１  液晶表示器
１２  プリンタ
１３  操作部
１４  ランプ型表示器
１６  パチンコ台
１７  玉箱
１８  上部タンク
２１  補給玉計数機
２３  戻し玉計数機
２４  下部タンク
２９  回収玉計数機
３０  揚送装置
３５  制御装置
４０  演算手段
４３  液晶表示制御手段
４４  玉数範囲判定手段
４５  ランプ表示制御手段
５５  制御装置
５６  積算手段
５７  演算手段
【図１】
0004231558.tif 000002
【図２】
0004231558.tif 000003
【図３】
0004231558.tif 000004
【図４】
0004231558.tif 000005
【図５】
0004231558.tif 000006
【図６】
0004231558.tif 000007
【図７】
0004231558.tif 000008
【図８】
0004231558.tif 000009
【図９】
0004231558.tif 000010
【図１０】
0004231558.tif 000011
【図１１】
0004231558.tif 000012
【図１２】
0004231558.tif 000013
【図１３】
0004231558.tif 000014